(57)【特許請求の範囲】
【請求項１】
ハウジング（２）に収容された複数の弁体（３〜５）を当該弁体の軸線回りに回転させることにより、外部の複数の機器（９３〜９６）への２種類の流体の流れを制御する切替弁であって、
前記ハウジングは、前記弁体が回転自在に収容される複数の円柱状空間の弁体収容孔（２１〜２３）、および一端が前記弁体収容孔の周壁面に接続されるとともに他端が前記ハウジングの外壁面に開口して前記流体を流通させる複数の直線状の流体通路孔（６１〜６６）を備え、
複数の前記弁体収容孔の軸線は相互に平行であり、
複数の前記流体通路孔の軸線は、相互に平行で、且つ、前記弁体収容孔の軸線に対して垂直であり、
各々の前記流体通路孔は、少なくとも２つの前記弁体収容孔に接続されるとともに、軸直交断面の一部または全部が、前記流体通路孔の軸線方向視において前記弁体収容孔と重なっており、
前記複数の流体通路孔のうち、前記複数の弁体収容孔の軸線方向に直行し且つ前記複数の流体通路孔の軸線に直行する方向（Ｃ）の位置が相互にずれる２つの流体通路孔（６１、６２）は、前記複数の弁体収容孔のうち同じ１つの弁体収容孔（２１）と、前記２つの流体通路孔の軸線方向に重なるようにして、前記同じ１つの弁体収容孔に接続されており、
前記複数の弁体のうち前記同じ１つの弁体収容孔に収容される１つの弁体（３）の位置に応じて、前記同じ１つの弁体収容孔と前記２つの流体通路孔のうち一方（６１）との間の連通、非連通が切り替わり、かつ、前記同じ１つの弁体収容孔と前記２つの流体通路孔のうち他方（６２）との間の連通、非連通が切り替わる切替弁。
【請求項２】
２種類の前記流体は、冷水と温水であり、
前記ハウジングは、隣接する前記流体通路孔間に、一方の前記流体通路孔を流通する流体と他方の前記流体通路孔を流通する流体との間の熱移動を抑制する断熱空間（２４、２５）を備える請求項１に記載の切替弁。
【請求項３】
ハウジング（２）に収容された複数の弁体（３〜５）を当該弁体の軸線回りに回転させることにより、外部の複数の機器（９３〜９６）への２種類の流体の流れを制御する切替弁であって、
前記ハウジングは、前記弁体が回転自在に収容される複数の円柱状空間の弁体収容孔（２１〜２３）、および一端が前記弁体収容孔の周壁面に接続されるとともに他端が前記ハウジングの外壁面に開口して前記流体を流通させる複数の直線状の流体通路孔（６１〜６６）を備え、
複数の前記弁体収容孔の軸線は相互に平行であり、
複数の前記流体通路孔の軸線は、相互に平行で、且つ、前記弁体収容孔の軸線に対して垂直であり、
各々の前記流体通路孔は、少なくとも２つの前記弁体収容孔に接続されるとともに、軸直交断面の一部または全部が、前記流体通路孔の軸線方向視において前記弁体収容孔と重なっており、
２種類の前記流体は、冷水と温水であり、
前記ハウジングは、隣接する前記流体通路孔間に、一方の前記流体通路孔を流通する流体と他方の前記流体通路孔を流通する流体との間の熱移動を抑制する断熱空間（２４、２５）を備える切替弁。
【請求項４】
複数の前記弁体のうち少なくとも一つは、２種類の前記流体を１つの前記機器に対して切り替えて流す請求項１ないし３のいずれか１つに記載の切替弁。
【請求項５】
２種類の前記流体は、冷水と温水であり、
複数の前記弁体のうち少なくとも一つは、前記冷水と前記温水を１つの前記機器に対して切り替えて流し、
複数の前記弁体のうち少なくとも一つは、前記冷水および前記温水の一方のみを複数の前記機器に流す請求項１ないし４のいずれか１つに記載の切替弁。
【発明の詳細な説明】
【技術分野】
【０００１】
本発明は、複数の弁体を有する切替弁に関するものである。
【背景技術】
【０００２】
従来、この種の切替弁として、例えば特許文献１に記載されたものがある。この特許文献１に記載された切替弁は、基本となる弁ユニットを複数個連結して構成され、ハウジングの弁体収容孔に収容された複数の弁体により、外部の複数の機器への２種類の流体の流れを制御するようになっている。
【０００３】
この切替弁のハウジングには、弁体収容孔に対して略接線方向に延びて弁体収容孔の周壁面に接続される第１流体通路孔、弁体収容孔の軸線および第１流体通路孔の軸線に対してともに垂直な方向に延びて弁体収容孔の周壁面に接続される第２流体通路孔、および弁体収容孔の軸方向一端側壁面に接続される第３流体通路孔が形成されている。
【０００４】
第１流体通路孔の軸線は弁体収容孔の軸線に対して垂直であり、さらに、この第１流体通路孔は、第１流体通路孔の軸線方向視において軸直交断面の一部が弁体収容孔と重なっている。
【０００５】
一方、第２流体通路孔の軸線は、弁体収容孔の軸線および第１流体通路孔の軸線に対してともに垂直である。より詳細には、第２流体通路孔の軸線は、弁体収容孔の軸線に対して直交している。このため、第２流体通路孔は、第２流体通路孔の軸線方向視において軸直交断面の全部が弁体収容孔と重なっている。
【先行技術文献】
【特許文献】
【０００６】
【特許文献１】特開２０１１−４３１８８号公報
【発明の概要】
【発明が解決しようとする課題】
【０００７】
しかしながら、従来の切替弁は、弁体収容孔の周壁面に接続される第１流体通路孔と第２流体通路孔の軸線が垂直であるため、切替弁のハウジングが大きくなってしまうという問題があった。
【０００８】
本発明は上記点に鑑みて、複数の弁体を有する切替弁において、ハウジングの小型化を図ることを目的とする。
【課題を解決するための手段】
【０００９】
上記目的を達成するため、請求項１に記載の発明では、ハウジング（２）に収容された複数の弁体（３〜５）を当該弁体の軸線回りに回転させることにより、外部の複数の機器（９３〜９６）への２種類の流体の流れを制御する切替弁であって、ハウジングは、弁体が回転自在に収容される複数の円柱状空間の弁体収容孔（２１〜２３）、および一端が弁体収容孔の周壁面に接続されるとともに他端がハウジングの外壁面に開口して流体を流通させる複数の直線状の流体通路孔（６１〜６６）を備え、複数の弁体収容孔の軸線は相互に平行であり、複数の流体通路孔の軸線は、相互に平行で、且つ、弁体収容孔の軸線に対して垂直であり、各々の流体通路孔は、少なくとも２つの弁体収容孔に接続されるとともに、軸直交断面の一部または全部が、流体通路孔の軸線方向視において弁体収容孔と重なっており、前記複数の流体通路孔のうち、前記複数の弁体収容孔の軸線方向に直行し且つ前記複数の流体通路孔の軸線に直行する方向（Ｃ）の位置が相互にずれる２つの流体通路孔（６１、６２）は、前記複数の弁体収容孔のうち同じ１つの弁体収容孔（２１）と、前記２つの流体通路孔の軸線方向に重なるようにして、前記同じ１つの弁体収容孔に接続されており、前記複数の弁体のうち前記同じ１つの弁体収容孔に収容される１つの弁体（３）の位置に応じて、前記同じ１つの弁体収容孔と前記２つの流体通路孔のうち一方（６１）との間の連通、非連通が切り替わり、かつ、前記同じ１つの弁体収容孔と前記２つの流体通路孔のうち他方（６２）との間の連通、非連通が切り替わる。
また、請求項３に記載の発明では、ハウジング（２）に収容された複数の弁体（３〜５）を当該弁体の軸線回りに回転させることにより、外部の複数の機器（９３〜９６）への２種類の流体の流れを制御する切替弁であって、前記ハウジングは、前記弁体が回転自在に収容される複数の円柱状空間の弁体収容孔（２１〜２３）、および一端が前記弁体収容孔の周壁面に接続されるとともに他端が前記ハウジングの外壁面に開口して前記流体を流通させる複数の直線状の流体通路孔（６１〜６６）を備え、複数の前記弁体収容孔の軸線は相互に平行であり、複数の前記流体通路孔の軸線は、相互に平行で、且つ、前記弁体収容孔の軸線に対して垂直であり、各々の前記流体通路孔は、少なくとも２つの前記弁体収容孔に接続されるとともに、軸直交断面の一部または全部が、前記流体通路孔の軸線方向視において前記弁体収容孔と重なっており、２種類の前記流体は、冷水と温水であり、前記ハウジングは、隣接する前記流体通路孔間に、一方の前記流体通路孔を流通する流体と他方の前記流体通路孔を流通する流体との間の熱移動を抑制する断熱空間（２４、２５）を備える。
【００１０】
これによると、複数の弁体を有する切替弁において、弁体収容孔の周壁面に接続される流体通路孔の軸線を相互に平行にすることができるため、複数の弁体を有する切替弁においてハウジングの小型化を図ることができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の一実施形態に係る切替弁を用いた熱管理システムの構成を示す図である。
【図２】一実施形態に係る切替弁の斜視図である。
【図３】一実施形態に係る切替弁の正面図である。
【図４】図３のＩＶ−ＩＶ断面図である。
【図５】図３のＶ−Ｖ断面図である。
【図６】図３ＶＩ−ＶＩの断面図である。
【図７】図３のＶＩＩ−ＶＩＩ断面図である。
【図８】図３のＶＩＩＩ−ＶＩＩＩ断面図である。
【図９】図３のＩＸ−ＩＸ断面図である。
【図１０】図３のＸ−Ｘ断面図である。
【図１１】一実施形態に係る切替弁における第１弁体の弁特性を示す図である。
【図１２】一実施形態に係る切替弁における第２弁体の弁特性を示す図である。
【図１３】一実施形態に係る切替弁における第３弁体の弁特性を示す図である。
【図１４】一実施形態に係る切替弁の第１変形例を示す要部の断面図である。
【図１５】一実施形態に係る切替弁の第２変形例を示す要部の断面図である。
【図１６】一実施形態に係る切替弁の第３変形例を示す要部の断面図である。
【図１７】一実施形態に係る切替弁の第４変形例を示す要部の断面図である。
【図１８】一実施形態に係る切替弁の第５変形例を示す要部の断面図である。
【図１９】一実施形態に係る切替弁の第６変形例を示す要部の断面図である。
【図２０】一実施形態に係る切替弁の第７変形例を示す要部の断面図である。
【図２１】一実施形態に係る切替弁の第８変形例を示す要部の断面図である。
【図２２】一実施形態に係る切替弁の第９変形例を示す要部の断面図である。
【図２３】一実施形態に係る切替弁の第１０変形例を示す要部の断面図である。
【図２４】一実施形態に係る切替弁の第１１変形例を示す要部の断面図である。
【発明を実施するための形態】
【００１３】
（一実施形態）
本発明の一実施形態について説明する。
【００１４】
図１に示す熱管理システムは、車両が備える各種機器や車室内を適切な温度に調整するために用いられる。
【００１５】
図１に示すように、熱管理システムは、第１ポンプ９１、第２ポンプ９２、ラジエータ９３、ヒータコア９４、電池温調用熱交換器９５、クーラコア９６、水冷却器９７、水加熱器９８、分配切替弁１ａ、集合切替弁１ｂ、および冷凍サイクル９９を備えている。
【００１６】
第１ポンプ９１および第２ポンプ９２は、水を吸入して吐出する電動ポンプである。水は、熱媒体としての流体である。
【００１７】
ラジエータ９３、ヒータコア９４、電池温調用熱交換器９５、クーラコア９６、水冷却器９７、および水加熱器９８は、水が流通する水流通機器である。
【００１８】
冷凍サイクル９９は、圧縮機９９１、水加熱器９８、膨張弁９９２、および水冷却器９７を備える蒸気圧縮式冷凍機である。
【００１９】
圧縮機９９１は、冷凍サイクル９９の冷媒を吸入し圧縮して吐出する。
【００２０】
水加熱器９８は、圧縮機９９１から吐出された高圧側冷媒と水とを熱交換させることによって高圧側冷媒を凝縮させる。水加熱器９８は、その熱交換により水を加熱する。以下、水加熱器９８にて加熱された水を、温水という。なお、水加熱器９８は冷凍サイクル９９の凝縮器を構成している。
【００２１】
膨張弁９９２は、水加熱器９８から流出した液相冷媒を減圧膨張させる。
【００２２】
水冷却器９７は、膨張弁９９２で減圧膨張された低圧冷媒と水とを熱交換させることによって低圧冷媒を蒸発させる。水冷却器９７は、その熱交換により水を冷却する。以下、水冷却器９７にて冷却された水を冷水という。なお、水冷却器９７は、冷凍サイクル９９の蒸発器を構成している。
【００２３】
水冷却器９７で蒸発した気相冷媒は、圧縮機９９１に吸入されて圧縮される。
【００２４】
ラジエータ９３は、水冷却器９７や水加熱器９８で温度調整された水と車室外空気（以下、外気という）とを熱交換させる。ラジエータ９３に外気温以上の温度の水を流すことにより、水から外気に放熱させることが可能である。ラジエータ９３に外気温以下の水を流すことにより、外気から水に吸熱させることが可能である。換言すれば、ラジエータ９３は、水から外気に放熱させる放熱器としての機能、および外気から水に吸熱させる吸熱器としての機能を発揮できる。
【００２５】
分配切替弁１ａ、集合切替弁１ｂ、第１ポンプ９１、および水冷却器９７は、第１ポンプ用流路８１にて接続されている。そして、集合切替弁１ｂから流出した水は、第１ポンプ９１および水冷却器９７を介して分配切替弁１ａに供給される。
【００２６】
分配切替弁１ａ、集合切替弁１ｂ、第２ポンプ９２、および水加熱器９８は、第２ポンプ用流路８２にて接続されている。そして、集合切替弁１ｂから流出した水は、第２ポンプ９２および水加熱器９８を介して分配切替弁１ａに供給される。
【００２７】
ラジエータ９３、ヒータコア９４、電池温調用熱交換器９５、およびクーラコア９６は、分配切替弁１ａと集合切替弁１ｂに接続されている。
【００２８】
分配切替弁１ａは、第１ポンプ用流路８１或いは第２ポンプ用流路８２を介して供給された温水や冷水を、ラジエータ９３、ヒータコア９４、電池温調用熱交換器９５、およびクーラコア９６に対して適宜供給する。なお、分配切替弁１ａの詳細については、後述する。
【００２９】
集合切替弁１ｂは、ラジエータ９３、ヒータコア９４、電池温調用熱交換器９５、およびクーラコア９６から排出された温水や冷水を、第１ポンプ９１或いは第２ポンプ９２に適宜戻す。なお、集合切替弁１ｂの詳細については、後述する。
【００３０】
ヒータコア９４は、供給された温水と車室内への送風空気とを熱交換させて車室内への送風空気を加熱する。
【００３１】
クーラコア９６は、供給された冷水と車室内への送風空気とを熱交換させて車室内への送風空気を冷却する。
【００３２】
電池温調用熱交換器９５は、供給された温水または冷水と図示しない電池とを熱交換させて電池の温度を調整する。
【００３３】
次に、分配切替弁１ａおよび集合切替弁１ｂの具体的構成について、図２〜図１０に基づいて説明する。
【００３４】
図１に示した熱管理システムの分配切替弁１ａおよび集合切替弁１ｂは、図２〜図１０に示すように、切替弁１として一体化されている。
【００３５】
切替弁１は、ハウジング２、第１弁体３、第２弁体４、および第３弁体５を備えている。ハウジング２、第１弁体３、第２弁体４、および第３弁体５は、いずれも金属あるいは樹脂等よりなる。
【００３６】
以下の説明において、図３の紙面上下方向をハウジング高さ方向Ａ、図３の紙面左右方向をハウジング幅方向Ｂ、図３の紙面垂直方向をハウジング奥行き方向Ｃという。なお、ハウジング高さ方向Ａとハウジング幅方向Ｂは直交し、ハウジング奥行き方向Ｃはハウジング高さ方向Ａおよびハウジング幅方向Ｂに対してともに直交している。また、ハウジング高さ方向Ａは、車両搭載時の天地方向であり、ハウジング幅方向Ｂおよびハウジング奥行き方向Ｃは、車両搭載時の水平方向である。
【００３７】
図４、図７〜図１０に示すように、ハウジング２には、第１弁体３が回転自在に収容される円柱状空間の第１弁体収容孔２１、第２弁体４が回転自在に収容される円柱状空間の第２弁体収容孔２２、第３弁体５が回転自在に収容される円柱状空間の第３弁体収容孔２３が形成されている。
【００３８】
第１弁体収容孔２１、第２弁体収容孔２２、および第３弁体収容孔２３の各軸線は、相互に平行であり、ハウジング高さ方向Ａに沿って延びている。また、第１弁体収容孔２１、第２弁体収容孔２２、および第３弁体収容孔２３は、ハウジング高さ方向Ａの位置は同一である。
【００３９】
第１弁体収容孔２１と第３弁体収容孔２３は、ハウジング幅方向Ｂに所定距離離れて配置されている。
【００４０】
第２弁体収容孔２２は、ハウジング幅方向Ｂにおいて第１弁体収容孔２１と第３弁体収容孔２３の略中間に配置され、且つ、第１弁体収容孔２１と第３弁体収容孔２３に対してハウジング奥行き方向Ｃに所定距離ずらして配置されている。
【００４１】
図４、図７、および図８に示すように、第１弁体３は、円筒状の第１分配弁３１と円筒状の第１集合弁３２とが一体になっている。また、図８から明らかなように、第１弁体３において、ハウジング高さ方向Ａの下側部位が第１分配弁３１を構成し、ハウジング高さ方向Ａの上側部位が第１集合弁３２を構成している。そして、以下詳述するように、第１弁体３をその中心軸線回りに回転させることにより、外部の機器への流体の流れを制御可能になっている。
【００４２】
第１分配弁３１内の空間である第１分配弁室３１０と第１集合弁３２内の空間である第１集合弁室３２０は、第１弁隔壁３３によって隔てられている。また、第１弁体３の外周側には、第１分配弁３１側と第１集合弁３２側とをシールする第１弁シール部材３４が装着されている。この第１弁シール部材３４は、例えばＯリングを採用することができる。
【００４３】
第１分配弁３１には、その外周側と第１分配弁室３１０とを連通させる第１分配弁第１孔３１１が形成されている。
【００４４】
第１集合弁３２には、その外周側と第１集合弁室３２０とを連通させる第１集合弁第１孔３２１が形成されている。
【００４５】
第１弁体３は、第１弁隔壁３３から上方に向かって延びる第１弁シャフト３５を備えている。この第１弁シャフト３５の上端側はハウジング２の外部に突出している。そして、第１弁シャフト３５の上端側端部に、第１弁体３を回転駆動する図示しないアクチュエータが連結される。このアクチュエータは、例えば電動モータ単体でもよいし、電動モータと減速機構の組み合わせでもよい。
【００４６】
図４、図７、および図９に示すように、第２弁体４は、円筒状の第２分配弁４１と円筒状の第２集合弁４２とが一体になっている。なお、第２弁体４において、ハウジング高さ方向Ａの下側部位が第２分配弁４１を構成し、ハウジング高さ方向Ａの上側部位が第２集合弁４２を構成している。そして、以下詳述するように、第２弁体４をその中心軸線回りに回転させることにより、外部の機器への流体の流れを制御可能になっている。
【００４７】
第２分配弁４１内の空間である第２分配弁室４１０と第２集合弁４２内の空間である第２集合弁室４２０は、第２弁隔壁４３によって隔てられている。また、第２弁体４の外周側には、第２分配弁４１側と第２集合弁４２側とをシールする第２弁シール部材４４が装着されている。この第２弁シール部材４４は、例えばＯリングを採用することができる。
【００４８】
第２分配弁４１には、その外周側と第２分配弁室４１０とを連通させる第２分配弁第１孔４１１および第２分配弁第２孔４１２が形成されている。第２分配弁第１孔４１１と第２分配弁第２孔４１２は、第２弁体４の回転方向に９０°ずらして配置されている。
【００４９】
第２集合弁４２には、その外周側と第２集合弁室４２０とを連通させる第２集合弁第１孔４２１および第２集合弁第２孔４２２が形成されている。第２集合弁第１孔４２１と第２集合弁第２孔４２２は、第２弁体４の回転方向に９０°ずらして配置されている。
【００５０】
第２弁体４は、第２弁隔壁４３から上方に向かって延びる第２弁シャフト４５を備えている。この第２弁シャフト４５の上端側はハウジング２の外部に突出している。そして、第２弁シャフト４５の上端側端部に、第２弁体４を回転駆動する図示しないアクチュエータが連結される。このアクチュエータは、例えば電動モータ単体でもよいし、電動モータと減速機構の組み合わせでもよい。
【００５１】
図４、図７、および図１０に示すように、第３弁体５は、円筒状の第３分配弁５１と円筒状の第３集合弁５２とが一体になっている。なお、第３弁体５において、ハウジング高さ方向Ａの下側部位が第３分配弁５１を構成し、ハウジング高さ方向Ａの上側部位が第３集合弁５２を構成している。そして、以下詳述するように、第３弁体５をその中心軸線回りに回転させることにより、外部の機器への流体の流れを制御可能になっている。
【００５２】
第３弁体５は、第３集合弁５２側の端部が、第３弁底壁５０によって閉塞されている。第３分配弁５１内の空間である第３分配弁室５１０と第３集合弁５２内の空間である第３集合弁室５２０は、第３弁隔壁５３によって隔てられている。
【００５３】
第３弁体５の外周側には、第３分配弁５１側と第３集合弁５２側とをシールする第３弁シール部材５４が装着されている。この第３弁シール部材５４は、例えばＯリングを採用することができる。
【００５４】
第３分配弁５１には、その内周側と外周側とを連通させる第３分配弁第１孔５１１および第３分配弁第２孔５１２が形成されている。第３分配弁第１孔５１１と第３分配弁第２孔５１２は、第３弁体５の回転方向に９０°ずらして配置されている。
【００５５】
第３集合弁５２には、その内周側と外周側とを連通させる第３集合弁第１孔５２１および第３集合弁第２孔５２２が形成されている。第３集合弁第１孔５２１と第３集合弁第２孔５２２は、第３弁体５の回転方向に９０°ずらして配置されている。
【００５６】
第３弁体５は、第３弁底壁５０から上方に向かって延びる第３弁シャフト５５を備えている。この第３弁シャフト５５の上端側はハウジング２の外部に突出している。そして、第３弁シャフト５５の上端側端部に、第３弁体５を回転駆動する図示しないアクチュエータが連結される。このアクチュエータは、例えば電動モータ単体でもよいし、電動モータと減速機構の組み合わせでもよい。
【００５７】
図４〜図１０に示すように、ハウジング２には、流体を流通させる複数の流体通路孔６１〜７２が形成されている。これらの流体通路孔６１〜７２のうち、第１〜第６流体通路孔６１〜６６は、本発明の流体通路孔に相当する。
【００５８】
第１〜第６流体通路孔６１〜６６は、直線状の孔であり、一端が第１〜第３弁体収容孔２１〜２３の周壁面に接続されるとともに他端がハウジング２の外壁面に開口している。第１〜第６流体通路孔６１〜６６の軸線は、相互に平行であり、第１〜第３弁体収容孔２１〜２３の軸線に対して垂直であり、ハウジング幅方向Ｂに沿って延びている。第１〜第６流体通路孔６１〜６６は、各々の流体通路孔が、第１〜第３弁体収容孔２１〜２３のうち少なくとも２つの弁体収容孔に接続されている。
【００５９】
図４、図８〜図１０に示すように、第１流体通路孔６１は、ハウジング２におけるハウジング幅方向Ｂの左端側（すなわち、図４の紙面左側）の外壁面に開口し、水加熱器９８（図１参照）から温水が供給される。第１流体通路孔６１は、第１弁体収容孔２１のうち第１分配弁３１が収納される部位、および第２弁体収容孔２２のうち第２分配弁４１が収納される部位に接続されている。
【００６０】
より詳細には、第１流体通路孔６１は、第１流体通路孔６１の軸線方向視において、第１流体通路孔６１の軸直交断面の一部が第１弁体収容孔２１と重なるようにして、第１弁体収容孔２１に接続されている。第１流体通路孔６１は、第１弁体収容孔２１の周壁面のうちハウジング奥行き方向Ｃの手前側（すなわち、図４の紙面下側）の部位に接続されている。
【００６１】
また、第１流体通路孔６１は、第１流体通路孔６１の軸線方向視において、第１流体通路孔６１の軸直交断面の全部が第２弁体収容孔２２と重なるようにして、第２弁体収容孔２２に接続されている。第１流体通路孔６１の軸線は、第２弁体収容孔２２の軸線に対して直交している。
【００６２】
第２流体通路孔６２は、ハウジング２におけるハウジング幅方向Ｂの右端側（すなわち、図４の紙面右側）の外壁面に開口し、水冷却器９７（図１参照）から冷水が供給される。第２流体通路孔６２は、第１弁体収容孔２１のうち第１分配弁３１が収納される部位、および第３弁体収容孔２３のうち第３分配弁５１が収納される部位に接続されている。
【００６３】
より詳細には、第２流体通路孔６２は、第２流体通路孔６２の軸線方向視において、第２流体通路孔６２の軸直交断面の一部が第１弁体収容孔２１と重なるようにして、第１弁体収容孔２１に接続されている。同様に、第２流体通路孔６２は、第２流体通路孔６２の軸線方向視において、第２流体通路孔６２の軸直交断面の一部が第３弁体収容孔２３と重なるようにして、第３弁体収容孔２３に接続されている。
【００６４】
また、第２流体通路孔６２は、第１弁体収容孔２１の周壁面のうち、ハウジング奥行き方向Ｃの奥側（すなわち、図４の紙面上側）の部位に接続されている。同様に、第２流体通路孔６２は、第３弁体収容孔２３の周壁面のうちハウジング奥行き方向Ｃの奥側の部位に接続されている。
【００６５】
第３流体通路孔６３は、ハウジング２におけるハウジング幅方向Ｂの右端側の外壁面に開口し、クーラコア９６（図１参照）の流体入口に接続されている。第３流体通路孔６３は、第２弁体収容孔２２のうち第２分配弁４１が収納される部位、および第３弁体収容孔２３のうち第３分配弁５１が収納される部位に接続されている。
【００６６】
より詳細には、第３流体通路孔６３は、第３流体通路孔６３の軸線方向視において、第３流体通路孔６３の軸直交断面の一部が第２弁体収容孔２２と重なるようにして、第２弁体収容孔２２に接続されている。
【００６７】
また、第３流体通路孔６３は、第３流体通路孔６３の軸線方向視において、第３流体通路孔６３の軸直交断面の全部が第３弁体収容孔２３と重なるようにして、第３弁体収容孔２３に接続されている。第３流体通路孔６３の軸線は、第３弁体収容孔２３の軸線に対して直交している。
【００６８】
第１流体通路孔６１、第２流体通路孔６２、および第３流体通路孔６３は、ハウジング奥行き方向Ｃの最も手前側に第１流体通路孔６１が配置され、ハウジング奥行き方向Ｃの最も奥側に第２流体通路孔６２が配置され、ハウジング奥行き方向Ｃにおいて第１流体通路孔６１と第２流体通路孔６２の中間部に第３流体通路孔６３が配置されている。また、第１流体通路孔６１、第２流体通路孔６２、および第３流体通路孔６３は、ハウジング高さ方向Ａの位置は同一である。
【００６９】
図７〜図１０に示すように、第４流体通路孔６４は、ハウジング２におけるハウジング幅方向Ｂの左端側の外壁面に開口し、第２ポンプ９２（図１参照）の流体入口に接続されている。第４流体通路孔６４は、第１弁体収容孔２１のうち第１集合弁３２が収納される部位、および第２弁体収容孔２２のうち第２集合弁４２が収納される部位に接続されている。
【００７０】
より詳細には、第４流体通路孔６４は、第４流体通路孔６４の軸線方向視において、第４流体通路孔６４の軸直交断面の一部が第１弁体収容孔２１と重なるようにして、第１弁体収容孔２１に接続されている。第４流体通路孔６４は、第１弁体収容孔２１の周壁面のうちハウジング奥行き方向Ｃの手前側の部位に接続されている。
【００７１】
また、第４流体通路孔６４は、第４流体通路孔６４の軸線方向視において、第４流体通路孔６４の軸直交断面の全部が第２弁体収容孔２２と重なるようにして、第２弁体収容孔２２に接続されている。第４流体通路孔６４の軸線は、第２弁体収容孔２２の軸線に対して直交している。
【００７２】
第５流体通路孔６５は、ハウジング２におけるハウジング幅方向Ｂの右端側の外壁面に開口し、第１ポンプ９１（図１参照）の流体入口に接続されている。第５流体通路孔６５は、第１弁体収容孔２１のうち第１集合弁３２が収納される部位、および第３弁体収容孔２３のうち第３集合弁５２が収納される部位に接続されている。
【００７３】
より詳細には、第５流体通路孔６５は、第５流体通路孔６５の軸線方向視において、第５流体通路孔６５の軸直交断面の一部が第１弁体収容孔２１と重なるようにして、第１弁体収容孔２１に接続されている。同様に、第５流体通路孔６５は、第５流体通路孔６５の軸線方向視において、第５流体通路孔６５の軸直交断面の一部が第３弁体収容孔２３と重なるようにして、第３弁体収容孔２３に接続されている。
【００７４】
また、第５流体通路孔６５は、第１弁体収容孔２１の周壁面のうち、ハウジング奥行き方向Ｃの奥側の部位に接続されている。同様に、第５流体通路孔６５は、第３弁体収容孔２３の周壁面のうちハウジング奥行き方向Ｃの奥側の部位に接続されている。
【００７５】
第６流体通路孔６６は、ハウジング２におけるハウジング幅方向Ｂの右端側の外壁面に開口し、クーラコア９６の流体出口に接続されている。第６流体通路孔６６は、第２弁体収容孔２２のうち第２集合弁４２が収納される部位、および第３弁体収容孔２３のうち第３集合弁５２が収納される部位に接続されている。
【００７６】
より詳細には、第６流体通路孔６６は、第６流体通路孔６６の軸線方向視において、第６流体通路孔６６の軸直交断面の一部が第２弁体収容孔２２と重なるようにして、第２弁体収容孔２２に接続されている。
【００７７】
また、第６流体通路孔６６は、第６流体通路孔６６の軸線方向視において、第６流体通路孔６６の軸直交断面の全部が第３弁体収容孔２３と重なるようにして、第３弁体収容孔２３に接続されている。第６流体通路孔６６の軸線は、第３弁体収容孔２３の軸線に対して直交している。
【００７８】
第４流体通路孔６４、第５流体通路孔６５、および第６流体通路孔６６は、ハウジング奥行き方向Ｃの最も手前側に第４流体通路孔６４が配置され、ハウジング奥行き方向Ｃの最も奥側に第５流体通路孔６５が配置され、ハウジング奥行き方向Ｃにおいて第４流体通路孔６４と第５流体通路孔６５の中間部に第６流体通路孔６６が配置されている。また、第４流体通路孔６４、第５流体通路孔６５、および第６流体通路孔６６は、ハウジング高さ方向Ａの位置は同一である。
【００７９】
図５、図８〜図１０に示すように、第７流体通路孔６７は、ハウジング幅方向Ｂに延びる部位６７１とハウジング高さ方向Ａに延びる部位６７２とからなる。そして、第７流体通路孔６７は、ハウジング幅方向Ｂに延びる部位６７１が、ハウジング２におけるハウジング幅方向Ｂの左端側の外壁面に開口し、ラジエータ９３（図１参照）の流体入口に接続されている。また、第７流体通路孔６７は、ハウジング高さ方向Ａに延びる部位６７２が、第１弁体収容孔２１の端部壁面に開口して第１分配弁室３１０に接続されている。
【００８０】
第８流体通路孔６８は、ハウジング幅方向Ｂに延びる部位６８１とハウジング高さ方向Ａに延びる部位６８２とからなる。そして、第８流体通路孔６８は、ハウジング幅方向Ｂに延びる部位６８１が、ハウジング２におけるハウジング幅方向Ｂの左端側の外壁面に開口し、ヒータコア９４（図１参照）の流体入口に接続されている。また、第８流体通路孔６８は、ハウジング高さ方向Ａに延びる部位６８２が、第２弁体収容孔２２の端部壁面に開口して第２分配弁室４１０に接続されている。
【００８１】
第９流体通路孔６９は、ハウジング幅方向Ｂに延びる部位６９１とハウジング高さ方向Ａに延びる部位６９２とからなる。そして、第９流体通路孔６９は、ハウジング幅方向Ｂに延びる部位６９１が、ハウジング２におけるハウジング幅方向Ｂの右端側の外壁面に開口し、電池温調用熱交換器９５（図１参照）の流体入口に接続されている。また、第９流体通路孔６９は、ハウジング高さ方向Ａに延びる部位６９２が、第３流体通路孔６３における第２弁体収容孔２２と第３弁体収容孔２３とを連通させる部位に接続されている。
【００８２】
図６、図８〜図１０に示すように、第１０流体通路孔７０は、ハウジング幅方向Ｂに延びる部位７０１とハウジング高さ方向Ａに延びる部位７０２とからなる。そして、第１０流体通路孔７０は、ハウジング幅方向Ｂに延びる部位７０１が、ハウジング２におけるハウジング幅方向Ｂの左端側の外壁面に開口し、ラジエータ９３の流体出口に接続されている。また、第１０流体通路孔７０は、ハウジング高さ方向Ａに延びる部位７０２が、第１集合弁室３２０に接続されている。
【００８３】
第１１流体通路孔７１は、ハウジング幅方向Ｂに延びる部位７１１とハウジング高さ方向Ａに延びる部位７１２とからなる。そして、第１１流体通路孔７１は、ハウジング幅方向Ｂに延びる部位７１１が、ハウジング２におけるハウジング幅方向Ｂの左端側の外壁面に開口し、ヒータコア９４の流体出口に接続されている。第２集合弁室４２０に接続されている。
【００８４】
第１２流体通路孔７２は、ハウジング幅方向Ｂに延びる部位７２１とハウジング高さ方向Ａに延びる部位７２２とからなる。そして、第１２流体通路孔７２は、ハウジング幅方向Ｂに延びる部位７２１が、ハウジング２におけるハウジング幅方向Ｂの右端側の外壁面に開口し、電池温調用熱交換器９５の流体出口に接続されている。また、第１２流体通路孔７２は、ハウジング高さ方向Ａに延びる部位７２２が、第６流体通路孔６６に接続されている。
【００８５】
図４〜図７、図９に示すように、ハウジング２には、ハウジング高さ方向Ａの上端面から下端面まで貫通する第１断熱空間２４および第２断熱空間２５が形成されている。
【００８６】
第１断熱空間２４は、第７流体通路孔６７と第８流体通路孔６８との間（図５参照）に設けられており、第１断熱空間２４を流通する空気により、第７流体通路孔６７を流通する流体と第８流体通路孔６８を流通する流体との間の熱移動が抑制される。
【００８７】
第１断熱空間２４は、第１０流体通路孔７０と第１１流体通路孔７１との間（図６参照）に設けられており、第１断熱空間２４を流通する空気により、第１０流体通路孔７０を流通する流体と第１１流体通路孔７１を流通する流体との間の熱移動が抑制される。
【００８８】
第２断熱空間２５は、第２流体通路孔６２と第３流体通路孔６３との間（図４、図９参照）に設けられており、第２断熱空間２５を流通する空気により、第２流体通路孔６２を流通する流体と第３流体通路孔６３を流通する流体との間の熱移動が抑制される。
【００８９】
第２断熱空間２５は、第５流体通路孔６５と第６流体通路孔６６の間（図７、図９参照）に設けられており、第２断熱空間２５を流通する空気により、第５流体通路孔６５を流通する流体と第６流体通路孔６６を流通する流体との間の熱移動が抑制される。
【００９０】
次に、第１〜第３弁体３〜５の弁特性について、図４〜図１３に基づいて説明する。なお、図４、および図７〜図１０は、第１〜第３弁体３〜５の原位置を示している。
【００９１】
まず、第１弁体３の弁特性について説明する。図１１において、実線は、水加熱器９８、ラジエータ９３、および第２ポンプ９２を結ぶ流路の開度を示している。図１１において、破線は、水冷却器９７、ラジエータ９３、および第１ポンプ９１を結ぶ流路の開度を示している。
【００９２】
第１弁体３が原位置にあるときは、第１分配弁第１孔３１１が第１流体通路孔６１と連通する位置にあり、第１流体通路孔６１と第１分配弁室３１０は第１分配弁第１孔３１１を介して連通している。一方、第２流体通路孔６２と第１分配弁室３１０は非連通状態になっている。
【００９３】
また、第１弁体３が原位置にあるときは、第１集合弁第１孔３２１が第４流体通路孔６４と連通する位置にあり、第４流体通路孔６４と第１集合弁室３２０は第１集合弁第１孔３２１を介して連通している。一方、第５流体通路孔６５と第１集合弁室３２０は非連通状態になっている。
【００９４】
これにより、水加熱器９８から供給される温水は、第１流体通路孔６１、第１分配弁第１孔３１１、第１分配弁室３１０、第７流体通路孔６７の順に流れて、ラジエータ９３に至る。そして、ラジエータ９３を通過した温水は、第１０流体通路孔７０、第１集合弁室３２０、第１集合弁第１孔３２１、第４流体通路孔６４の順に流れて、第２ポンプ９２に至る。
【００９５】
すなわち、図１１に示すように、第１弁体３が原位置にあるときは、水加熱器９８、ラジエータ９３、および第２ポンプ９２を結ぶ流路は全開で、水冷却器９７、ラジエータ９３、および第１ポンプ９１を結ぶ流路は全閉である。
【００９６】
第１弁体３が原位置から図４の紙面において時計回りに９０°回転されると、第１分配弁第１孔３１１は、第１流体通路孔６１および第２流体通路孔６２のいずれとも、非連通状態になる。これにより、水冷却器９７から供給される冷水および水加熱器９８から供給される温水のいずれも、ラジエータ９３に流れなくなる。
【００９７】
すなわち、図１１に示すように、第１弁体３が原位置から図４の紙面において時計回りに９０°回転されると、水加熱器９８、ラジエータ９３、および第２ポンプ９２を結ぶ流路は全閉になり、水冷却器９７、ラジエータ９３、および第１ポンプ９１を結ぶ流路も全閉になる。
【００９８】
第１弁体３が原位置から図４の紙面において時計回りに１８０°回転されると、第１分配弁第１孔３１１が第２流体通路孔６２と連通状態になり、第２流体通路孔６２と第１分配弁室３１０は第１分配弁第１孔３１１を介して連通する。一方、第１流体通路孔６１と第１分配弁室３１０は非連通状態になる。
【００９９】
また、第１弁体３が原位置から図４の紙面において時計回りに１８０°回転されると、第１集合弁第１孔３２１が第５流体通路孔６５と連通状態になり、第５流体通路孔６５と第１集合弁室３２０は第１集合弁第１孔３２１を介して連通する。一方、第４流体通路孔６４と第１集合弁室３２０は非連通状態になる。
【０１００】
これにより、水冷却器９７から供給される冷水は、第２流体通路孔６２、第１分配弁第１孔３１１、第１分配弁室３１０、第７流体通路孔６７の順に流れて、ラジエータ９３に至る。そして、ラジエータ９３を通過した冷水は、第１０流体通路孔７０、第１集合弁室３２０、第１集合弁第１孔３２１、第５流体通路孔６５の順に流れて、第１ポンプ９１に至る。
【０１０１】
すなわち、図１１に示すように、第１弁体３が原位置から図４の紙面において時計回りに１８０°回転されると、水加熱器９８、ラジエータ９３、および第２ポンプ９２を結ぶ流路は全閉になり、水冷却器９７、ラジエータ９３、および第１ポンプ９１を結ぶ流路は全開になる。
【０１０２】
このように、第１弁体３は、２種類の流体（すなわち、温水と冷水）を１つの機器（すなわち、ラジエータ９３）に対して切り替えて流すことができる。
【０１０３】
続いて、第２弁体４の弁特性について説明する。図１２において、実線は、水加熱器９８、電池温調用熱交換器９５、および第２ポンプ９２を結ぶ流路の開度を示している。図１２において、破線は、水加熱器９８、ヒータコア９４、および第２ポンプ９２を結ぶ流路の開度を示している。
【０１０４】
第２弁体４が原位置にあるときは、第２分配弁第１孔４１１が第１流体通路孔６１と連通する位置にあり、第１流体通路孔６１と第２分配弁室４１０は第２分配弁第１孔４１１を介して連通している。一方、第３流体通路孔６３と第２分配弁室４１０は非連通状態になっている。
【０１０５】
また、第２弁体４が原位置にあるときは、第２集合弁第１孔４２１が第４流体通路孔６４と連通する位置にあり、第４流体通路孔６４と第２集合弁室４２０は第２集合弁第１孔４２１を介して連通している。一方、第６流体通路孔６６と第２集合弁室４２０は非連通状態になっている。
【０１０６】
これにより、水加熱器９８から供給される温水は、第１流体通路孔６１、第２分配弁第１孔４１１、第２分配弁室４１０、第８流体通路孔６８の順に流れて、ヒータコア９４に至る。そして、ヒータコア９４を通過した温水は、第１１流体通路孔７１、第２集合弁室４２０、第２集合弁第１孔４２１、第４流体通路孔６４の順に流れて、第２ポンプ９２に至る。
【０１０７】
すなわち、図１２に示すように、第２弁体４が原位置にあるときは、水加熱器９８、ヒータコア９４、および第２ポンプ９２を結ぶ流路は全開で、水加熱器９８、電池温調用熱交換器９５、および第２ポンプ９２を結ぶ流路は全閉である。
【０１０８】
第２弁体４が原位置から図４の紙面において時計回りに９０°回転されると、第２分配弁第１孔４１１が第３流体通路孔６３と連通状態になり、第３流体通路孔６３と第２分配弁室４１０は第２分配弁第１孔４１１を介して連通する。また、第２分配弁第２孔４１２が第１流体通路孔６１と連通状態になり、第１流体通路孔６１と第２分配弁室４１０は第２分配弁第２孔４１２を介して連通する。
【０１０９】
第２弁体４が原位置から図４の紙面において時計回りに９０°回転されると、第２集合弁第１孔４２１が第６流体通路孔６６と連通状態になり、第６流体通路孔６６と第２集合弁室４２０は第２集合弁第１孔４２１を介して連通する。また、第２集合弁第２孔４２２が第４流体通路孔６４と連通状態になり、第４流体通路孔６４と第２集合弁室４２０は第２集合弁第２孔４２２を介して連通する。
【０１１０】
これにより、水加熱器９８から供給される温水は、第１流体通路孔６１、第２分配弁第２孔４１２、第２分配弁室４１０、第８流体通路孔６８の順に流れて、ヒータコア９４に至る。そして、ヒータコア９４を通過した温水は、第１１流体通路孔７１、第２集合弁室４２０、第２集合弁第２孔４２２、第４流体通路孔６４の順に流れて、第２ポンプ９２に至る。
【０１１１】
また、水加熱器９８から供給される温水は、第１流体通路孔６１、第２分配弁第２孔４１２、第２分配弁室４１０、第２分配弁第１孔４１１、第３流体通路孔６３、第９流体通路孔６９の順に流れて、電池温調用熱交換器９５に至る。そして、電池温調用熱交換器９５を通過した温水は、第１２流体通路孔７２、第２集合弁第１孔４２１、第２集合弁室４２０、第２集合弁第２孔４２２、第４流体通路孔６４の順に流れて、第２ポンプ９２に至る。
【０１１２】
すなわち、図１２に示すように、第２弁体４が原位置から図４の紙面において時計回りに９０°回転されると、水加熱器９８、ヒータコア９４、および第２ポンプ９２を結ぶ流路は全開になり、水加熱器９８、電池温調用熱交換器９５、および第２ポンプ９２を結ぶ流路も全開になる。
【０１１３】
第２弁体４が原位置から図４の紙面において時計回りに１８０°回転されると、第１流体通路孔６１と第２分配弁室４１０は非連通状態になる。これにより、水加熱器９８から供給される温水は、ヒータコア９４および電池温調用熱交換器９５のいずれにも流れなくなる。
【０１１４】
すなわち、図１２に示すように、第２弁体４が原位置から図４の紙面において時計回りに１８０°回転されると、水加熱器９８、ヒータコア９４、および第２ポンプ９２を結ぶ流路は全閉になり、水加熱器９８、電池温調用熱交換器９５、および第２ポンプ９２を結ぶ流路も全閉になる。
【０１１５】
このように、第２弁体４は、温水を複数の機器（すなわち、ヒータコア９４および電池温調用熱交換器９５）に対して切り替えて流すことができる。
【０１１６】
続いて、第３弁体５の弁特性について説明する。図１３において、実線は、水冷却器９７、電池温調用熱交換器９５、および第１ポンプ９１を結ぶ流路の開度を示している。図１３において、破線は、水冷却器９７、クーラコア９６、および第１ポンプ９１を結ぶ流路の開度を示している。
【０１１７】
第３弁体５が原位置にあるときは、第３分配弁第１孔５１１が第２流体通路孔６２と連通する位置にあり、第２流体通路孔６２と第３分配弁室５１０は第３分配弁第１孔５１１を介して連通している。
【０１１８】
また、第３分配弁第２孔５１２は、第３流体通路孔６３における第２弁体収容孔２２と第３弁体収容孔２３とを接続する部位に連通する位置にあり、第３流体通路孔６３のその部位と第３分配弁室５１０は第３分配弁第２孔５１２を介して連通している。さらに、第３分配弁第２孔５１２と、第３流体通路孔６３における第３弁体収容孔２３よりも開口部側右側とは、非連通状態になっている。
【０１１９】
第３弁体５が原位置にあるときは、第３集合弁第１孔５２１が第５流体通路孔６５と連通する位置にあり、第５流体通路孔６５と第３集合弁室５２０は第３集合弁第１孔５２１を介して連通している。
【０１２０】
また、第３集合弁第２孔５２２は、第６流体通路孔６６における第２弁体収容孔２２と第３弁体収容孔２３とを接続する部位に連通する位置にあり、第６流体通路孔６６のその部位と第３集合弁室５２０は第３集合弁第２孔５２２を介して連通している。さらに、第３集合弁第２孔５２２は、第６流体通路孔６６における第３弁体収容孔２３よりも開口部側右側とは、非連通状態になっている。
【０１２１】
これにより、水冷却器９７から供給される冷水は、第２流体通路孔６２、第３分配弁第１孔５１１、第３分配弁室５１０、第３分配弁第２孔５１２、第３流体通路孔６３、第９流体通路孔６９の順に流れて、電池温調用熱交換器９５に至る。そして、電池温調用熱交換器９５を通過した冷水は、第１２流体通路孔７２、第６流体通路孔６６、第３集合弁第２孔５２２、第３集合弁室５２０、第３集合弁第１孔５２１、第５流体通路孔６５の順に流れて、第１ポンプ９１に至る。
【０１２２】
すなわち、図１３に示すように、第３弁体５が原位置にあるときは、水冷却器９７、電池温調用熱交換器９５、および第１ポンプ９１を結ぶ流路は全開で、水冷却器９７、クーラコア９６、および第１ポンプ９１を結ぶ流路は全閉である。
【０１２３】
第３弁体５が原位置から図４の紙面において時計回りに９０°回転されると、第３分配弁第１孔５１１は、第３流体通路孔６３における第３弁体収容孔２３よりも開口部側の部位と連通する位置になり、第３流体通路孔６３のその部位と第３分配弁室５１０は第３分配弁第１孔５１１を介して連通する。
【０１２４】
第３分配弁第２孔５１２は、第２流体通路孔６２と連通する位置になり、第２流体通路孔６２と第３分配弁室５１０は第３分配弁第２孔５１２を介して連通する。また、第３分配弁第２孔５１２は、第３流体通路孔６３における第２弁体収容孔２２と第３弁体収容孔２３とを接続する部位とは、非連通状態になっている。
【０１２５】
第３弁体５が原位置から図４の紙面において時計回りに９０°回転されると、第３集合弁第１孔５２１は、第６流体通路孔６６における第３弁体収容孔２３よりも開口部側の部位と連通する位置になり、第６流体通路孔６６のその部位と第３集合弁室５２０は第３集合弁第１孔５２１を介して連通する。
【０１２６】
第３集合弁第２孔５２２は、第５流体通路孔６５と連通する位置にあり、第５流体通路孔６５と第３集合弁室５２０は第３集合弁第２孔５２２を介して連通している。また、第３集合弁第２孔５２２は、第６流体通路孔６６における第２弁体収容孔２２と第３弁体収容孔２３とを接続する部位とは、非連通状態になっている。
【０１２７】
これにより、水冷却器９７から供給される冷水は、第２流体通路孔６２、第３分配弁第２孔５１２、第３分配弁室５１０、第３分配弁第１孔５１１、第３流体通路孔６３の順に流れて、クーラコア９６に至る。そして、クーラコア９６を通過した冷水は、第６流体通路孔６６、第３集合弁第１孔５２１、第３集合弁室５２０、第３集合弁第２孔５２２、第５流体通路孔６５の順に流れて、第１ポンプ９１に至る。
【０１２８】
すなわち、図１３に示すように、第３弁体５が原位置から図４の紙面において時計回りに９０°回転されると、水冷却器９７、電池温調用熱交換器９５、および第１ポンプ９１を結ぶ流路は全閉になり、水冷却器９７、クーラコア９６、および第１ポンプ９１を結ぶ流路は全開になる。
【０１２９】
第３弁体５が原位置から図４の紙面において時計回りに１８０°回転されると、第３分配弁第１孔５１１は、第２流体通路孔６２および第３流体通路孔６３のいずれとも、非連通状態になる。これにより、水冷却器９７から供給される冷水は、電池温調用熱交換器９５およびクーラコア９６のいずれにも流れなくなる。
【０１３０】
すなわち、図１３に示すように、第３弁体５が原位置から図４の紙面において時計回りに１８０°回転されると、水冷却器９７、電池温調用熱交換器９５、および第１ポンプ９１を結ぶ流路は全閉になり、水冷却器９７、クーラコア９６、および第１ポンプ９１を結ぶ流路も全閉になる。
【０１３１】
このように、第３弁体５は、冷水を複数の機器（すなわち、電池温調用熱交換器９５およびクーラコア９６）に対して切り替えて流すことができる。
【０１３２】
本実施形態では、第１〜第３弁体収容孔２１〜２３の各軸線は相互に平行になっている。また、一端が第１〜第３弁体収容孔２１〜２３の周壁面に接続されるとともに他端がハウジング２の外壁面に開口している直線状の第１〜第６流体通路孔６１〜６６を備え、第１〜第６流体通路孔６１〜６６の軸線は、第１〜第３弁体収容孔２１〜２３の軸線に対して垂直である。さらに、第１〜第６流体通路孔６１〜６６の各々の流体通路孔は、第１〜第３弁体収容孔２１〜２３のうち少なくとも２つの弁体収容孔に接続されるとともに、各々の流体通路孔の軸直交断面の一部または全部が、各々の流体通路孔の軸線方向視において、接続される弁体収容孔と重なっている。
【０１３３】
そして、このような構成にすることにより、複数の弁体を有する切替弁において、第１〜第３弁体収容孔２１〜２３の周壁面に接続される第１〜第６流体通路孔６１〜６６の軸線を相互に平行にすることができるため、複数の弁体を有する切替弁においてハウジング２の小型化を図ることができる。
【０１３４】
また、本実施形態では、第１断熱空間２４および第２断熱空間２５を流通する空気により、隣接する流体通路孔を流通する流体間の熱移動が抑制される。したがって、熱移動による冷水温度の上昇および熱移動による温水温度の低下を防止することができる。
【０１３５】
なお、上記実施形態においては、各々の分配弁室または各々の集合弁室に、複数の流体通路孔を接続したが、流体通路孔の接続パターンは、以下述べる変形例のように、種々変更することができる。
【０１３６】
因みに、第１〜第５変形例は、弁室に３つの流体通路孔が接続される３方弁タイプの変形例であり、第６〜第１０変形例は、弁室に２つのの流体通路孔が接続される２方弁タイプの変形例であり、第１１変形例は、弁室に４つのの流体通路孔が接続される４方弁タイプの変形例である。
【０１３７】
なお、以下の変形例の説明においては、分配弁室または集合弁室を弁室１１、第１〜第３弁体収容孔を弁体収容孔１２、弁体収容孔１２の端部壁面に接続される流体通路孔を軸方向流体通路孔１３という。また、弁体収容孔１２の周壁面に接続される流体通路孔のうち、流体通路孔の軸直交断面の一部が流体通路孔の軸線方向視において弁体収容孔と重なる流体通路孔を接線方向流体通路孔１４という。さらに、弁体収容孔１２の周壁面に接続される流体通路孔のうち、流体通路孔の軸直交断面の全部が流体通路孔の軸線方向視において弁体収容孔と重なる流体通路孔を法線方向流体通路孔１５という。
【０１３８】
図１４に示す第１変形例では、１つの軸線方向流体通路孔１３と、２つの接線方向流体通路孔１４が、弁室１１に接続されている。
【０１３９】
図１５に示す第２変形例では、１つの軸線方向流体通路孔１３と、１つの接線方向流体通路孔１４と、１つの法線方向流体通路孔１５が、弁室１１に接続されている。
【０１４０】
図１６に示す第３変形例では、１つの軸線方向流体通路孔１３と、２つの法線方向流体通路孔１５が、弁室１１に接続されている。
【０１４１】
図１７に示す第４変形例では、１つの接線方向流体通路孔１４と、２つの法線方向流体通路孔１５が、弁室１１に接続されている。
【０１４２】
図１８に示す第５変形例では、２つの接線方向流体通路孔１４と、１つの法線方向流体通路孔１５が、弁室１１に接続されている。
【０１４３】
図１９に示す第６変形例では、１つの軸線方向流体通路孔１３と、１つの接線方向流体通路孔１４が、弁室１１に接続されている。
【０１４４】
図２０に示す第７変形例では、１つの軸線方向流体通路孔１３と、１つの法線方向流体通路孔１５が、弁室１１に接続されている。
【０１４５】
図２１に示す第８変形例では、２つの法線方向流体通路孔１５が、弁室１１に接続されている。
【０１４６】
図２２に示す第９変形例では、１つの接線方向流体通路孔１４と、１つの法線方向流体通路孔１５が、弁室１１に接続されている。
【０１４７】
図２３に示す第１０変形例では、２つの接線方向流体通路孔１４が、弁室１１に接続されている。
【０１４８】
図２４に示す第１１変形例では、２つの接線方向流体通路孔１４と、２つの法線方向流体通路孔１５が、弁室１１に接続されている。
【０１４９】
（他の実施形態）
上記実施形態では、車両搭載時に第１〜第３弁体収容孔２１〜２３の各軸線を天地方向にしたが、車両搭載時に第１〜第３弁体収容孔２１〜２３の各軸線を水平方向にしてもよい。
【０１５０】
上記実施形態では、第１〜第３弁体３〜５をその軸線回りに回転させることにより、流体が流れる流路を開閉したが、第１〜第３弁体３〜５の回転に伴って、流路を流れる流体の流量を連続的に変化させるようにしてもよい。
【０１５１】
なお、本発明は上記した実施形態に限定されるものではなく、特許請求の範囲に記載した範囲内において適宜変更が可能である。
【０１５２】
また、上記実施形態において、実施形態を構成する要素は、特に必須であると明示した場合および原理的に明らかに必須であると考えられる場合等を除き、必ずしも必須のものではないことは言うまでもない。
【０１５３】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【０１５４】
また、上記実施形態において、構成要素等の形状、位置関係等に言及するときは、特に明示した場合および原理的に特定の形状、位置関係等に限定される場合等を除き、その形状、位置関係等に限定されるものではない。
【０１５５】
（まとめ）
上記実施形態の一部または全部で示された第１の観点によれば、複数の弁体収容孔の各軸線は相互に平行である。また、弁体収容孔の周壁面に接続されるとともに他端がハウジングの外壁面に開口している直線状の複数の流体通路孔を備え、各々の流体通路孔の軸線は、相互に平行で、且つ、弁体収容孔の軸線に対して垂直である。さらに、各々の流体通路孔は、複数の弁体収容孔のうち少なくとも２つの弁体収容孔に接続されるとともに、各々の流体通路孔の軸直交断面の一部または全部が、各々の流体通路孔の軸線方向視において、接続される弁体収容孔と重なっている。
【０１５６】
また、第２の観点によれば、複数の弁体のうち少なくとも一つは、２種類の流体を１つの前記機器に対して切り替えて流すようになっている。
【０１５７】
また、第３の観点によれば、複数の弁体のうち少なくとも一つは、冷水と温水を１つの機器に対して切り替えて流し、複数の弁体のうち少なくとも一つは、冷水および温水の一方のみを複数の機器に流すようになっている。
【０１５８】
また、第４の観点によれば、流体通路孔を流れる２種類の流体は冷水と温水であり、ハウジングは、隣接する流体通路孔間に、一方の流体通路孔を流通する流体と他方の流体通路孔を流通する流体との間の熱移動を抑制する断熱空間を備える。
【０１５９】
これによると、熱移動による冷水温度の上昇および熱移動による温水温度の低下を防止することができる。
【符号の説明】
【０１６０】
２  ハウジング
３〜５  弁体
２１〜２３  弁体収容孔
６１〜６６  流体通路孔
【図１】
0006520832.tif 000002
【図２】
0006520832.tif 000003
【図３】
0006520832.tif 000004
【図４】
0006520832.tif 000005
【図５】
0006520832.tif 000006
【図６】
0006520832.tif 000007
【図７】
0006520832.tif 000008
【図８】
0006520832.tif 000009
【図９】
0006520832.tif 000010
【図１０】
0006520832.tif 000011
【図１１】
0006520832.tif 000012
【図１２】
0006520832.tif 000013
【図１３】
0006520832.tif 000014
【図１４】
0006520832.tif 000015
【図１５】
0006520832.tif 000016
【図１６】
0006520832.tif 000017
【図１７】
0006520832.tif 000018
【図１８】
0006520832.tif 000019
【図１９】
0006520832.tif 000020
【図２０】
0006520832.tif 000021
【図２１】
0006520832.tif 000022
【図２２】
0006520832.tif 000023
【図２３】
0006520832.tif 000024
【図２４】
0006520832.tif 000025